(57)【要約】【課題】縦回し駆動式引起装置に対する伝動構成をシンプルにし、コストダウンなどを実現する。【解決手段】横回し駆動式引起装置１５の前側に沿い、前方に突出するタイン１６ａの上昇動作で茎稈を引き起す複数の縦回し駆動式引起装置１７を設けるにあたり、非作用側が隣接する２つの横回し駆動式引起装置１５に対し、引起横駆動軸２６の動力を、左右に並ぶ２つの引起縦駆動軸２８を介してそれぞれ独立して伝動するとともに、引起横駆動軸２６における２つの引起縦駆動軸２８の間に、左右両外側を除く縦回し駆動式引起装置１７のタイン付きチェーン１６に対して動力を伝動する駆動スプロケット３１を設ける。【選択図】図９
2013013364.tif 000002
【特許請求の範囲】
【請求項１】
左右方向に並ぶように前処理部の前面部に立設され、一側方に突出するタインの上昇動作で茎稈を引き起す複数の横回し駆動式引起装置と、
複数の横回し駆動式引起装置の上方に沿うように前処理部の上端部に左右方向を向いて配置され、各横回し駆動式引起装置に動力を伝動する引起横駆動軸と、を備えるコンバインであって、
前記横回し駆動式引起装置の前側に沿い、前方に突出するタインの上昇動作で茎稈を引き起す複数の縦回し駆動式引起装置を設けるにあたり、
非作用側が隣接する２つの横回し駆動式引起装置に対し、引起横駆動軸の動力を、左右に並ぶ２つの引起縦駆動軸を介してそれぞれ独立して伝動するとともに、引起横駆動軸における２つの引起縦駆動軸の間に、左右両外側を除く縦回し駆動式引起装置のタイン付きチェーンに対して動力を伝動する駆動スプロケットを設けたことを特徴とするコンバインの茎稈引起装置。
【請求項２】
前記引起横駆動軸の左右両端部に、左右両外側に配置される縦回し駆動式引起装置のタイン付きチェーンに対して動力を伝動する駆動スプロケットを設けたことを特徴とする請求項１記載のコンバインの茎稈引起装置。
【請求項３】
非作用側が隣接する２つの横回し駆動式引起装置の前面をそれぞれ着脱自在に覆う２つの横回し引起カバーを設け、２つの横回し引起カバーの隣接側上部に、縦回し駆動式引起装置の上端部が通過する切り欠き部を形成したことを特徴とする請求項１又は２に記載のコンバインの茎稈引起装置。
【発明の詳細な説明】
【技術分野】
【０００１】
本発明は、横回し駆動式引起装置及び縦回し駆動式引起装置を備えるコンバインの茎稈引起装置に関する。
【背景技術】
【０００２】
自脱式コンバインの前処理部には、通常、茎稈を引き起す茎稈引起装置が設けられている。この種の茎稈引起装置としては、デバイダで分草された茎稈を、一側方に突出するタイン（引起爪）の上昇動作で引き起す横回し駆動式引起装置が一般的であるが、茎稈が左右方向に倒伏していると、茎稈に対する引起作用（分草作用）が不十分になる可能性があるので、前方に突出するタインの上昇動作で茎稈を引き起す縦回し駆動式引起装置を併設する場合がある（例えば、特許文献１参照）。
【０００３】
前処理部の上端部には、左右方向を向く引起駆動軸（引起横駆動軸）が配置されており、この引起駆動軸から複数の横回し駆動式引起装置に動力を伝動するようになっている。また、縦回し駆動式引起装置を併設する場合は、引起駆動軸から取り出した動力を複数の縦回し駆動式引起装置に伝動するようにしている。
【先行技術文献】
【特許文献】
【０００４】
【特許文献１】特許第３１１６６６３号公報
【発明の概要】
【発明が解決しようとする課題】
【０００５】
しかしながら、特許文献１に示されるように、従来のコンバインでは、引起駆動軸の動力を複数の縦回し駆動式引起装置に伝動するにあたり、引起駆動軸の端部から動力を取り出し、この動力を複数の縦回し駆動式引起装置に対して順次伝動しているので、伝動経路が長い複雑な伝動構成となり、部品点数の増加、前処理部の大型化、コストアップなどを招来するという問題があった。
【課題を解決するための手段】
【０００６】
本発明は、上記の如き実情に鑑みこれらの課題を解決することを目的として創作されたものであって、左右方向に並ぶように前処理部の前面部に立設され、一側方に突出するタインの上昇動作で茎稈を引き起す複数の横回し駆動式引起装置と、複数の横回し駆動式引起装置の上方に沿うように前処理部の上端部に左右方向を向いて配置され、各横回し駆動式引起装置に動力を伝動する引起横駆動軸と、を備えるコンバインであって、前記横回し駆動式引起装置の前側に沿い、前方に突出するタインの上昇動作で茎稈を引き起す複数の縦回し駆動式引起装置を設けるにあたり、非作用側が隣接する２つの横回し駆動式引起装置に対し、引起横駆動軸の動力を、左右に並ぶ２つの引起縦駆動軸を介してそれぞれ独立して伝動するとともに、引起横駆動軸における２つの引起縦駆動軸の間に、左右両外側を除く縦回し駆動式引起装置のタイン付きチェーンに対して動力を伝動する駆動スプロケットを設けたことを特徴とする。
また、前記引起横駆動軸の左右両端部に、左右両外側に配置される縦回し駆動式引起装置のタイン付きチェーンに対して動力を伝動する駆動スプロケットを設けたことを特徴とする。
また、非作用側が隣接する２つの横回し駆動式引起装置の前面をそれぞれ着脱自在に覆う２つの横回し引起カバーを設け、２つの横回し引起カバーの隣接側上部に、縦回し駆動式引起装置の上端部が通過する切り欠き部を形成したことを特徴とする。
【発明の効果】
【０００７】
請求項１の発明によれば、左右両外側を除く縦回し駆動式引起装置のタイン付きチェーンに対して、引起横駆動軸に設けた駆動スプロケットから、引起縦駆動軸を迂回することなく直接動力を伝動するので、引起駆動軸の端部から取り出した動力を複数の縦回し駆動式引起装置に対して順次伝動する従来の伝動構成に比べ、伝動経路が短く極めてシンプルな伝動構成とすることができ、その結果、部品点数の削減、前処理部の小型化、コストダウンなどを実現することが可能となる。
また、請求項２の発明によれば、左右両外側に配置される縦回し駆動式引起装置のタイン付きチェーンに対しても、引起横駆動軸に設けた駆動スプロケットから直接動力を伝動することができる。
また、請求項３の発明によれば、伝動構成をシンプルにしながらも、縦回し駆動式引起装置の高さを可及的に低くし、良好な前方視界が得られる。
【図面の簡単な説明】
【０００８】
【図１】コンバインの全体斜視図である。
【図２】コンバインの全体右側面図である。
【図３】コンバインの全体左側面図である。
【図４】コンバインの全体平面図である。
【図５】コンバインの全体正面図である。
【図６】前処理部の正面図である。
【図７】前処理部のカバー構成を示す正面図である。
【図８】前処理部の右側面図である。
【図９】茎稈引起装置（６条刈り用）の伝動系統図である。
【図１０】茎稈引起装置（５条刈り用）の伝動系統図である。
【図１１】茎稈引起装置（４条刈り用）の伝動系統図である。
【図１２】茎稈引起装置（３条刈り用）の伝動系統図である。
【発明を実施するための形態】
【０００９】
以下、本発明の実施の形態について、図面に基づいて説明する。図１〜図５において、１はコンバインであって、該コンバイン１は、茎稈を刈り取る前処理部２と、刈り取った茎稈から穀粒を脱穀して選別する脱穀部３と、選別した穀粒を貯溜する穀粒タンク４と、穀粒タンク４内の穀粒を機外に排出する排出オーガ５と、脱穀済みの排稈を後処理する後処理部６と、運転席や各種の操作具が設けられる運転部（キャビン）７と、クローラ式の走行部８とを備えている。
【００１０】
前処理部２は、未刈り茎稈を分草するデバイダ９と、茎稈を引き起す茎稈引起装置１０と、茎稈の株元を切断する刈刃装置１１と、茎稈の株元側を掻き込むスターホイールなどの掻き込み装置１２と、掻き込まれた茎稈を脱穀部３に向けて搬送する茎稈搬送装置１３とを備えて構成されている。
【００１１】
茎稈引起装置１０には、一側方に突出するタイン（引起爪）１４ａの上昇動作で茎稈を引き起す複数の横回し駆動式引起装置１５と、前方に突出するタイン１６ａの上昇動作で茎稈を引き起す複数の縦回し駆動式引起装置１７とが含まれている。複数の横回し駆動式引起装置１５は、左右方向に並ぶように前処理部２の前面部に立設され、縦回し駆動式引起装置１７は、横回し駆動式引起装置１５の前側に沿うように設けられる。
【００１２】
横回し駆動式引起装置１５及び縦回し駆動式引起装置１７の個数は、前処理部２の刈取条数に応じて決定される。例えば、図１〜図９に示す６条刈りの前処理部２では、６つの横回し駆動式引起装置１５と４つの縦回し駆動式引起装置１７が設けられ、図１０に示す５条刈りの前処理部２では、５つの横回し駆動式引起装置１５と４つの縦回し駆動式引起装置１７が設けられ、図１１に示す４条刈りの前処理部２では、４つの横回し駆動式引起装置１５と３つの縦回し駆動式引起装置１７が設けられ、図１２に示す３条刈りの前処理部２では、３つの横回し駆動式引起装置１５と３つの縦回し駆動式引起装置１７が設けられる。
【００１３】
そして、図１〜図９に示すように、６条刈りの前処理部２では、１条目と２条目、３条目と４条目、５条目と６条目の横回し駆動式引起装置１５を、それぞれ茎稈導入経路を挟んで作用側（タイン突出側）が対向するように配置するとともに、各横回し駆動式引起装置１５の非作用側（非タイン突出側）から前方に突出するように４つの縦回し駆動式引起装置１７を配置している。
【００１４】
また、図１０に示すように、５条刈りの前処理部２では、１条目と２条目、４条目と５条目の横回し駆動式引起装置１５を、それぞれ茎稈導入経路を挟んで作用側（タイン突出側）が対向するように配置するとともに、その間に３条目の横回し駆動式引起装置１５を単独で配置し、各横回し駆動式引起装置１５の非作用側（非タイン突出側）から前方に突出するように４つの縦回し駆動式引起装置１７を配置している。
【００１５】
また、図１１に示すように、４条刈りの前処理部２では、１条目と２条目、３条目と４条目の横回し駆動式引起装置１５を、それぞれ茎稈導入経路を挟んで作用側（タイン突出側）が対向するように配置するとともに、各横回し駆動式引起装置１５の非作用側（非タイン突出側）から前方に突出するように３つの縦回し駆動式引起装置１７を配置している。
【００１６】
また、図１２に示すように、３条刈りの前処理部２では、１条目の横回し駆動式引起装置１５を単独で配置するとともに、２条目と３条目の横回し駆動式引起装置１５を、茎稈導入経路を挟んで作用側（タイン突出側）が対向するように配置し、各横回し駆動式引起装置１５の非作用側（非タイン突出側）から前方に突出するように３つの縦回し駆動式引起装置１７を配置している。
【００１７】
横回し駆動式引起装置１５は、装置上端側に配置される駆動スプロケット１８と、装置下端側に配置される従動スプロケット１９と、所定間隔を存して複数のタイン１４ａが起伏自在に枢着されたタイン付きチェーン１４とを備え、該タイン付きチェーン１４をスプロケット１８、１９間に懸回して構成されている。そして、タイン付きチェーン１４の上昇経路（作用側）では、タイン１４ａを起立させて一側方に突出させる一方、下降経路（非作用側）では、タイン１４ａを倒伏させて装置内に収容するようになっている。
【００１８】
図７に示すように、各横回し駆動式引起装置１５の前面側は、着脱自在な横回し引起カバー２０によって覆われている。横回し引起カバー２０は、引起カバー着脱ノブ２１（例えば、ノブ付きボルト）によって固定されており、該引起カバー着脱ノブ２１を固定解除操作することにより横回し引起カバー２０の取り外しが可能になる。そして、非作用側が隣接する２つの横回し引起カバー２０の隣接側上部には、縦回し駆動式引起装置１７の上端部が通過する切り欠き部２０ａを形成してある。
【００１９】
また、図７において、２２は前処理部２の上端部を覆うトップカバー、２３Ｌ、２３Ｒはトップカバー２２の左右に設けられるライトユニット、２４Ｌ、２４Ｒは前処理部２の左右側面部を覆うサイドカバー、２５Ｌ、２５Ｒは前処理部２の左右側面上部を覆う上サイドカバーであり、トップカバー２２や上サイドカバー２５Ｌ、２５Ｒにも、縦回し駆動式引起装置１７の上端部が通過する切り欠き部２２ａ、２５ａを形成してある。
【００２０】
横回し駆動式引起装置１５は、引起横駆動軸２６から伝動される動力で引起動作を行う。引起横駆動軸２６は、複数の横回し駆動式引起装置１５の上方に沿うように前処理部２の上端部に左右方向を向いて配置されており、引起縦伝動軸２７及びベベルギヤ機構を介して動力を入力するとともに、入力した動力をベベルギヤ機構及び引起縦駆動軸２８を介して複数の横回し駆動式引起装置１５に伝動するようになっている。なお、図６において、２９は引起横駆動軸２６を内装するケース、３０は引起縦駆動軸２８を内装するケースである。
【００２１】
本発明の実施形態に係るコンバイン１では、引起横駆動軸２６の動力を各横回し駆動式引起装置１５に伝動するにあたり、それぞれ引起縦駆動軸２８を介して独立して伝動するようになっている。例えば、非作用側が隣接する２つの横回し駆動式引起装置１５に対しては、引起横駆動軸２６の動力を、左右に並ぶ２つの引起縦駆動軸２８を介してそれぞれ独立して伝動することになる。
【００２２】
縦回し駆動式引起装置１７は、装置上端側に配置される駆動スプロケット３１と、装置下端側に配置される従動スプロケット３２と、所定間隔を存して複数のタイン１６ａが起伏自在に枢着されたタイン付きチェーン１６とを備え、該タイン付きチェーン１６をスプロケット３１、３２間に懸回して構成されている。そして、タイン付きチェーン１６の上昇経路（作用側）では、タイン１６ａを起立させて前方に突出させる一方、下降経路（非作用側）では、タイン１６ａを倒伏させて装置内に収容するようになっている。
【００２３】
縦回し駆動式引起装置１７は、引起横駆動軸２６から伝動される動力で引起動作を行う。ここで引起横駆動軸２６の動力は、各縦回し駆動式引起装置１７のタイン付きチェーン１６に対してそれぞれ独立して伝動されるようになっている。例えば、左右両外側を除く縦回し駆動式引起装置１７のタイン付きチェーン１６に対しては、引起横駆動軸２６の中間部に設けた駆動スプロケット３１から直接動力を伝動し、左右両外側の縦回し駆動式引起装置１７のタイン付きチェーン１６に対しては、引起横駆動軸２６の左右両端部に設けた駆動スプロケット３１から直接動力を伝動するようになっている。
【００２４】
左右両外側を除く縦回し駆動式引起装置１７のタイン付きチェーン１６に対して、引起横駆動軸２６の中間部に設けた駆動スプロケット３１から動力を伝動するにあたり、本発明の実施形態に係るコンバイン１では、前述したように、非作用側が隣接する２つの横回し駆動式引起装置１５に対して、引起横駆動軸２６の動力を、左右に並ぶ２つの引起縦駆動軸２８を介してそれぞれ独立して伝動するようにしてあるので、引起横駆動軸２６における２つの引起縦駆動軸２８の間に駆動スプロケット３１を配置し、引起縦駆動軸２８を迂回することなく、縦回し駆動式引起装置１７のタイン付きチェーン１６に直接動力を伝動することが可能になる。因みに、従来のコンバインでは、非作用側が隣接する２つの横回し駆動式引起装置に対して１つの引起縦駆動軸を介して動力を伝動しているので、上記のようなシンプルな伝動構成で縦回し駆動式引起装置に動力を伝動することは困難である。
【００２５】
各縦回し駆動式引起装置１７は、縦回し引起ケース３３で覆われた状態で横回し駆動式引起装置１５の前側に沿って配置される。このとき縦回し引起ケース３３の非作用側（後端側）と横回し引起カバー２０の非作用側との間には、所定の間隙が確保される。これにより、縦回し駆動式引起装置１７を取り外すことなく、横回し引起カバー２０を着脱（開閉）して横回し駆動式引起装置１５のメンテナンスを行うことが可能になる。
【００２６】
また、図８に示すように、本実施形態の縦回し引起ケース３３は、側面視で前処理部２の上端後方から下端前方に向かって傾斜し、かつ、途中で下方に屈曲する形状（屈曲部３３ａ）としてある。このようにすると、縦回し引起ケース３３を直線的に構成する場合に比べ、縦回し引起ケース３３の上端位置を可及的に低くすることができるので、良好な前方視界が得られるという利点がある。
【００２７】
さらに、本実施形態では、非作用側が隣接する２つの横回し引起カバー２０の隣接側上部に、上方に開口する前述の切欠き部２０ａを形成し、この切欠き部２０ａに上方から入り込むように縦回し引起ケース３３（縦回し駆動式引起装置１７）の上端部を配置してある。このようにすると、縦回し引起ケース３３の上端位置をさらに低くし、前方視界を広げることが可能になる。
【００２８】
縦回し引起ケース３３の前面には、上下方向を向く分草ガイド３４が突設されている。例えば、本実施形態では、左右両外側を除く縦回し引起ケース３３の前面上部に逆Ｌ字状に屈曲した棒状の分草ガイド３４を突設している。このようにすると、前方視界を損なうことなく分草ガイド３４を設けることができるだけでなく、分草ガイド３４を目印としてデバイダ位置を確認することができる。
【００２９】
叙述の如く構成された本実施形態によれば、左右方向に並ぶように前処理部２の前面部に立設され、一側方に突出するタイン１４ａの上昇動作で茎稈を引き起す複数の横回し駆動式引起装置１５と、複数の横回し駆動式引起装置１５の上方に沿うように前処理部２の上端部に左右方向を向いて配置され、各横回し駆動式引起装置１５に動力を伝動する引起横駆動軸２６と、を備えるコンバイン１であって、横回し駆動式引起装置１５の前側に沿い、前方に突出するタイン１６ａの上昇動作で茎稈を引き起す複数の縦回し駆動式引起装置１７を設けるにあたり、非作用側が隣接する２つの横回し駆動式引起装置１５に対し、引起横駆動軸２６の動力を、左右に並ぶ２つの引起縦駆動軸２８を介してそれぞれ独立して伝動するとともに、引起横駆動軸２６における２つの引起縦駆動軸２８の間に、左右両外側を除く縦回し駆動式引起装置１７のタイン付きチェーン１６に対して動力を伝動する駆動スプロケット３１を設けたので、左右両外側を除く縦回し駆動式引起装置のタイン付きチェーンに対して、引起横駆動軸２６に設けた駆動スプロケット３１から、引起縦駆動軸２８を迂回することなく直接動力を伝動することが可能となる。これにより、引起横駆動軸２６の端部から取り出した動力を複数の縦回し駆動式引起装置１７に対して順次伝動する従来の伝動構成に比べ、伝動経路が短く極めてシンプルな伝動構成とすることができ、その結果、部品点数の削減、前処理部の小型化、コストダウンなどを実現することが可能となる。
【００３０】
また、引起横駆動軸２６の左右両端部に、左右両外側に配置される縦回し駆動式引起装置１７のタイン付きチェーン１６に対して動力を伝動する駆動スプロケット３１を設けたので、左右両外側に配置される縦回し駆動式引起装置１７のタイン付きチェーン１６に対しても、引起横駆動軸２６に設けた駆動スプロケット３１から直接動力を伝動することができる。
【００３１】
また、非作用側が隣接する２つの横回し駆動式引起装置１５の前面をそれぞれ着脱自在に覆う２つの横回し引起カバー２０を設け、２つの横回し引起カバー２０の隣接側上部に、縦回し駆動式引起装置１７の上端部が通過する切り欠き部２０ａを形成したので、伝動構成をシンプルにしながらも、縦回し駆動式引起装置１７の高さを可及的に低くし、良好な前方視界が得られる。
【符号の説明】
【００３２】
１      コンバイン
２      前処理部
９      デバイダ
１０    茎稈引起装置
１４ａ  タイン
１４    タイン付きチェーン
１５    横回し駆動式引起装置
１６ａ  タイン
１６    タイン付きチェーン
１７    縦回し駆動式引起装置
２０    横回し引起カバー
２０ａ  切欠き部
２６    引起横駆動軸
２８    引起縦駆動軸
３１    駆動スプロケット
３２    従動スプロケット
３３    縦回し引起ケース
３４    分草ガイド
【図１】
2013013364.tif 000003
【図２】
2013013364.tif 000004
【図３】
2013013364.tif 000005
【図４】
2013013364.tif 000006
【図５】
2013013364.tif 000007
【図６】
2013013364.tif 000008
【図７】
2013013364.tif 000009
【図８】
2013013364.tif 000010
【図９】
2013013364.tif 000011
【図１０】
2013013364.tif 000012
【図１１】
2013013364.tif 000013
【図１２】
2013013364.tif 000014